(57)【要約】【課題】ケースとカバーとをスライドしてロックすることが可能であり且つ針や金属線材等の不正解除具を用いた場合でもロック解除を防止できる制御基板収納ボックスを提供する。【解決手段】ストッパプレート１５のロックピン保持部４３がロックピン９の頭部９ａに対向して位置することにより、付勢部材１３の付勢力に抗してロックピン９をケース部３ａの収納孔１７内に保持し、ケース部３ａに対してカバー部５ｂをスライドすることにより、ストッパプレート１５のロックピン突出孔部４５がロックピン９の頭部９ａに対向して位置するで、付勢部材１３に付勢されたロックピン９が突出してロックピン９の頭部９ａがカバー部５ａの頭部収納孔２７内に位置すると共にロックピン係止部材１１の各係止爪４１がロックピン９の係止溝３７に係止してロックピン９を保持し且つケース部３ａの嵌合部２１にカバー部５ａの被嵌合部２９が嵌合して、ケース３とカバー５とがロックされる。【選択図】図１
2013198638.tif 000002
【特許請求の範囲】
【請求項１】
制御基板を収納する透明樹脂製のケースと、ケースに装着する透明樹脂製のカバーと、ケースとカバーとをロックするロック装置とを備えた制御基板収納ボックスであって、ロック装置は、金属製のロックピンと、ロックピンに係止可能な金属製のロックピン係止部材と、ロックピンを付勢する付勢部材と、ストッパプレートとを備え、ケースに対してカバーを一方向にスライドすることによりケースとカバーとをロックするものであり、
ケースには、カバー側が開口してロックピンとロックピン係止部材と付勢部材とを収納する収納孔と、この収納孔を挟む位置に設けてストッパプレートをカバーのスライド方向に移動可能に保持する保持溝と、カバーとの嵌合部とが形成してあり、ロックピンは付勢部材により収納孔の開口側に付勢されており、
カバーには、ケース側が開口してロックピンの頭部を収納可能な頭部収納孔と、ケースに対してスライドしたときにカバーの嵌合部に嵌合する被嵌合部とが形成してあり、
ロックピンには胴部の周方向に係止溝が形成してあり、
ストッパプレートは、ケースの保持溝に係合してあると共にカバーに取付けてあり、ロックピンの頭部を付勢部材の付勢力に抗して収納孔内に保持するロックピン保持部と、ロックピンの頭部が付勢力に順じて収納孔から突出するのを許容するロックピン突出孔部とを有し、
ロックピン係止部材は、ロックピンの胴部に弾性により当接する複数の係止爪をロックピンの周囲に有し、
ストッパプレートのロックピン保持部がロックピンの頭部に対向して位置することによりロックピンをケースの収納孔内に保持し、ケースに対してカバーをスライドしたときにストッパプレートのロックピン突出孔部がロックピンの頭部に対向して位置することで、ロックピンの頭部がロックピン収納孔から突出してカバーの頭部収納孔内に位置すると共にロックピン係止部材の各係止爪が弾性復帰してロックピンの係止溝に係止し、ケースの嵌合部にカバーの被嵌合部が嵌合することを特徴とする制御基板収納ボックス。
【請求項２】
ロックピンの頭部には、周方向に係止溝が形成してあり、ストッパプレートのロックピン保持部は周縁部が頭部の係止溝に係止する係止孔部を有し、ロックピン突出孔部は係止孔部よりも口径が大きい孔部であり、ストッパプレートの係止孔部とロックピン突出孔部とは連続した孔部としてあることを特徴とする請求項１に記載の制御基板収納ボックス。
【請求項３】
ストッパプレートは、カバーに係止する係止突起を有し、カバーにはストッパプレートの係止突起を挿入する挿入孔が形成されていることを特徴とする請求項２に記載の制御基板収納ボックス。
【請求項４】
請求項１〜３の何れかに記載の制御基板収納ボックスを内部に設けたことを特徴とする遊技機。
【発明の詳細な説明】
【技術分野】
【０００１】
本発明は、ロック装置を備えた遊技機用の制御基板収納ボックス及びこの制御基板収納ボックスを備えた遊技機に関する。
【背景技術】
【０００２】
一般に、パチンコ機やスロットマシン等の遊技機には、いわゆる当たり回数を制御する制御基板が不正に取り出されて改造や交換がされないようにする為、制御基板を収納したケースとカバーとのロックが不正解除されるのを防止したり、不正解除の痕跡が外部から目視確認できるようにする技術が公知である。
【０００３】
この種の技術として、特許文献１には、制御基板を収納する透明ケースとカバーを備える遊技機用の制御基板収納ボックスにおいて、ケースとカバーの基端部をヒンジで連結すると共にケースの先端部に一方のロック部材を設け、カバーの先端部に他方のロック部材を設けて、ケースに対してカバーを閉じたときに一方のロック部材と他方のロック部材とが互いに係合してロックすることが開示されている。
【０００４】
この特許文献１に記載の従来技術では、一方のロック部材に弾性変形可能な樹脂製の楔部を設け、他方のロック部材に楔部が係止する係止部を設けて、ケースとカバーが上下方向から互いに重なることにより、一方のロック部材の楔部が弾性変形して他方のロック部材の係止部に係止して、ケースとカバーをロックしている。
【先行技術文献】
【特許文献】
【０００５】
【特許文献１】特開２００８−２３７３４３号公報
【発明の概要】
【発明が解決しようとする課題】
【０００６】
しかし、特許文献１の技術では、例えば、針や金属製の線材を用いて樹脂製の楔部に熱を加えてロック部分を溶融した場合には、ケースとカバーとのロックが解除可能になるという不都合がある。仮に、楔部が金属製であっても周囲の樹脂製部分を溶融した後、金属製の楔部を針等で押圧することにより、解除可能になるという不都合がある。
更に、ケースとカバーとを互いにスライドにより嵌合する種類の制御基板収納ボックスがあるが、特許文献１の技術では、かかるスライドにより嵌合する制御基板収納ボックスには適用できないという問題がある。
【０００７】
そこで、本発明は、ケースとカバーとをスライドしてロックすることが可能であり且つ針や金属線材等の不正解除具を用いた場合でもロック解除を防止できる制御基板収納ボックス、及びこの制御基板収納ボックスを備えた遊技機の提供を目的とする。
【課題を解決するための手段】
【０００８】
前記課題を解決するために、請求項１に記載された発明は、制御基板を収納する透明樹脂製のケースと、ケースに装着する透明樹脂製のカバーと、ケースとカバーとをロックするロック装置とを備えた制御基板収納ボックスであって、ロック装置は、金属製のロックピンと、ロックピンに係止可能な金属製のロックピン係止部材と、ロックピンを付勢する付勢部材と、ストッパプレートとを備え、ケースに対してカバーを一方向にスライドすることによりケースとカバーとをロックするものであり、
ケースには、カバー側が開口してロックピンとロックピン係止部材と付勢部材とを収納する収納孔と、この収納孔を挟む位置に設けてストッパプレートをカバーのスライド方向に移動可能に保持する保持溝と、カバーとの嵌合部とが形成してあり、ロックピンは付勢部材により収納孔の開口側に付勢されており、カバーには、ケース側が開口してロックピンの頭部を収納可能な頭部収納孔と、ケースに対してスライドしたときにカバーの嵌合部に嵌合する被嵌合部とが形成してあり、ロックピンには胴部の周方向に係止溝が形成してあり、ストッパプレートは、ケースの保持溝に係合してあると共にカバーに取付けてあり、ロックピンの頭部を付勢部材の付勢力に抗して収納孔内に保持するロックピン保持部と、ロックピンの頭部が付勢力に順じて収納孔から突出するのを許容するロックピン突出孔部とを有し、ロックピン係止部材は、ロックピンの胴部に弾性により当接する複数の係止爪をロックピンの周囲に有し、ストッパプレートのロックピン保持部がロックピンの頭部に対向して位置することによりロックピンをケースの収納孔内に保持し、ケースに対してカバーをスライドしたときにストッパプレートのロックピン突出孔部がロックピンの頭部に対向して位置することで、ロックピンの頭部がロックピン収納孔から突出してカバーの頭部収納孔内に位置すると共にロックピン係止部材の各係止爪が弾性復帰してロックピンの係止溝に係止し、ケースの嵌合部にカバーの被嵌合部が嵌合することを特徴とする制御基板収納ボックスである。
【０００９】
請求項２に記載された発明は、請求項１に記載の発明において、ロックピンの頭部には、周方向に係止溝が形成してあり、ストッパプレートのロックピン保持部は周縁部が頭部の係止溝に係止する係止孔部を有し、ロックピン突出孔部は係止孔部よりも口径が大きい孔部であり、ストッパプレートの係止孔部とロックピン突出孔部とは連続した孔部としてあることを特徴とする。
【００１０】
請求項３に記載された発明は、請求項２に記載の発明において、ストッパプレートは、カバーに係止する係止突起を有し、カバーにはストッパプレートの係止突起を挿入する挿入孔が形成されていることを特徴とする。
【００１１】
請求項４に記載された発明は、請求項１〜３の何れか一項に記載の制御基板収納ボックスを内部に設けたことを特徴とする遊技機である。
【発明の効果】
【００１２】
請求項１に記載の発明によれば、ケースに対してカバーを相対的にスライドする仕様において、ケースに対してカバーをロックすることができる。換言すれば、ケースに対してカバーを相対的にスライド操作するだけで、ケースとカバーとを簡単にロックすることができる。
ケースとカバーとの内部にロック装置が収納されており外部に露出されるものがないので、不正解除操作がし難い。
ロックピンは金属製としてあり、ロックしたときにケースとカバーとの間に保持されると共にロックピン係止部材の係止爪がロックピンの係止溝に係止して、ロックピンの押し下げ方向の移動を阻止しているので、仮に針や線材等の不正解除具を用いてロックピンを押し下げようとしてもロックピン係止部材により押し下げることができないので、不正解除操作ができない。
ロックピンの周囲を金属製のロックピン係止部材の複数の係止爪が囲んでいるので、不正解除具によりロックピンを操作しようとしても係止爪が邪魔になり、不正操作し難い。
ケースの収納孔にロックピン係止部材と、付勢部材と、ロックピンを収納し、ケースの保持溝にストッパプレートを係合した後、ストッパプレートをカバーに取付けるだけであるから、ロック装置の組み付けが容易にできる。
【００１３】
請求項２に記載の発明によれば、請求項１に記載の発明と同様な効果を奏すると共に、ストッパプレートにはロックピンの頭部に形成した係止溝に係止する係止孔部と、係止孔部の孔径よりも径の大きいロックピン突出孔部を連続して形成するだけであるから、構成が簡易で製造が容易である。
ロックピンの頭部が突出する前の状態では、ロックピンの頭部に形成した係止溝に係止孔部を係止することにより、ロックピンの突出を確実に押えることができる。
【００１４】
請求項３に記載の発明によれば、請求項２に記載の発明と同様な効果を奏すると共に、ストッパプレートのカバーへの取り付けが容易にできる。
【００１５】
請求項４に記載の発明によれば、請求項１〜３の何れか一項に記載の効果を奏する制御基板収納ボックスを備えた遊技機を提供できる。
【図面の簡単な説明】
【００１６】
【図１】本発明の実施の形態に係る制御基板収納ボックスにおいて、ケースとカバーとがロック状態にあるときのロック装置を抜き出して示す側面図である。
【図２】本発明の実施の形態に係る制御基板収納ボックスにおいて、ロック装置と、ケースとカバーにおけるロック装置の収納部を示す分解斜視図である。
【図３】カバー部を、ケース側から見た斜視図である。
【図４】ロック前におけるロック装置を収納したケースの断面である。
【図５】ロック装置の作用を示す図であり、（ａ）はロック前のケースとロック装置の状態を示す平面図、（ｂ）はロック後のケースとロック装置の状態を示す平面図、（ｃ）はロック前のケースとロック装置の状態を示す断面図、（ｄ）はロック後のケースとロック装置との状態を示す断面図である。
【図６】（ａ）は本実施の形態に係る制御基板収納ボックスの平面図あり、（ｂ）は（ａ）に示す制御基板収納ボックスの側面図ある。
【発明を実施するための形態】
【００１７】
以下に、添付図面を参照して、本発明の実施の形態を詳細に説明する。本実施の形態にかかる制御基板収納ボックス１は、遊技機（パチンコ台）の制御基板を収納するものであり、遊技機の内部に装着されるものである。
図６に示すように、制御基板収納ボックス１は、制御基板を収納する透明樹脂製のケース３と、ケース３に装着する透明樹脂製のカバー５と、ケース３とカバー５とをロックするロック装置７とを備えている。尚、ロック装置７が収納されているケース部３ａ及びカバー部５ａは薄肉部１６により切除可能にしてある。
【００１８】
図１及び図２に示すように、ロック装置７は、ケース３と一体のケース部３ａと、カバー５と一体のカバー部５ａとに収納されており、金属製のロックピン９と、ロックピン９に係止可能な金属製のロックピン係止部材１１と、ロックピン９を付勢する付勢部材１３と、ストッパプレート１５とを備えており、ケース３に対してカバー５を一方向Ｓにスライドすることによりケース３とカバー５とをロックするものである。
【００１９】
ケース部３ａには、カバー部５ａ側が開口した円筒形状の収納孔１７と、ストッパプレート１５の装着孔１９が形成されており、ケース部３ａにおけるスラド方向Ｓの下流側には、カバー部５ａとの嵌合部２１が形成されている。嵌合部２１には、嵌合孔２１ａが形成されている。また、収納孔１７を挟む左右位置には、カバー部５ａのスライド方向Ｓと平行に形成してストッパプレート１５をスライド自在に保持する保持溝２３が形成されている。尚、収納孔１７を挟み、スライド方向Ｓに沿う両側にはカバー部５ａのスライドを案内なする案内壁２５が形成されている。
収納孔１７には、ロックピン９と、ロックピン係止部材１１と、付勢部材１３とが収納されている。
【００２０】
カバー部５ａには、ケース部３ａ側面に開口してロックピン９の頭部９ａを収納可能な頭部収納孔２７と、ケース部３ａに対してＳ方向にスライドしたときにケース部３ａの嵌合部２１の嵌合孔２１ａに嵌合する被嵌合部２９とが形成してある。被嵌合部２９はカバー部５ａのスライド方向に突出した突起部である。また、カバー部５ａのケース側面には、ストッパプレートを係止する挿入孔２８が形成されている。
【００２１】
ロックピン９は、略円筒形状を成し、図４に示すように、内部に付勢部材１３の一部を収納する付勢部材収納孔３０が形成されている。
図１及び図２に示すように、ロックピン９の頭部９ａにはテーパ３３が形成されており、上端ほど径を小さくしてある。また、頭部９ａにはその周方向に係止溝３５が形成されており、ストッパプレート１５が係止溝３５に係止可能にしてある。
このロックピン９は底側に配置された付勢部材１３によりカバー部５ａ側（上側）に向けて付勢されている。
ロックピン９の胴部９ｂには、ロックピン係止部材１１が係止可能な係止溝３７が周方向に形成されている。
付勢部材１３は、本実施の形態ではコイルスプリングである。
【００２２】
ロックピン係止部材１１は、円形状の基部３９と、基部３９からロックピン９の胴部９ｂに沿って周方向に立設した複数の係止爪４１とが形成してある。ロックピン係止部材１１は金属板を折り曲げて形成してあり、係止爪４１はロックピン９側に向けて付勢する弾性を有している。
本実施の形態では、複数の係止爪４１でロックピン９の周囲を囲んでいる。
【００２３】
図１に示すように、ストッパプレート１５は、金属板でできており、ロックピン保持部４３と、ロックピン突出孔部４５と、カバー部５ａに係止する係止突起４７とが形成されている。
ロックピン保持部４３は、ロックピン９の胴部９ｂよりも口径が小さい孔部であり、孔の縁４３ａがロックピン９の頭部９ａに形成された係止溝３５に係止するようになっている。
ロックピン突出孔部４５はロックピン９の突出を許容する孔部であり、ロックピン９の胴部９ｂの径よりも大きな口径を成している。
本実施の形態では、ロックピン保持部４３の孔部とロックピン突出孔部４５とは連続する孔部としてストッパプレート１５に形成している。係止突起４７はストッパプレート１５を折り曲げてカバー部５ａ側に突設し、カバー部５ａの挿入孔２８に挿入される。
【００２４】
次に、本実施の形態に係る制御基板収納ボックス１の組み立て、作用及び効果を説明する。
図１に示すように、制御基板収納ボックス１の組み立ては、ケース部３ａの収納孔１７に、ロックピン係止部材１１、付勢部材１３、ロックピン９をこの順序で収納し、ロックピン９の頭部を付勢部材１３の付勢力に抗して押し下げ、ストッパプレート１５をケース部の保持溝２３にスライドにより係合してストッパプレート１５をスライドして、ロックピン９の頭部９ａにある係止溝３５にストッパプレート１５のロックピン保持部４３を係止する。
一方、ストッパプレートの係止突起４７をカバー部５ａの挿入孔２８に挿入する。これにより、図４及び図５（ａ）（ｃ）に示すロック前の状態とする。
【００２５】
次に、ケース部３ａに対してカバー部５ａをＳ方向にスライドする。これにより、ストッパプレート１５がケース部３ａに対してＳ方向にスライド移動し、ロックピン９の頭部の係止溝３５から、ロックピン保持部４３が外れると共にロックピン９の頭部９ａに対向する位置にロックピン９よりも口径が大きいロックピン突出孔部４５が位置するので、ロックピン９は付勢部材１３の付勢力によりカバー部５ａ側に向けて突出し、ロックピン９の頭部９ａはカバー部５ａに形成された頭部収納孔２７内に配置される。
一方、ロックピン係止部材１１では、係止爪４１が弾性によりロックピン９の胴部９ｂに当接していたが、ロックピン９がカバー部５ａ側に突出すると、ロックピン９の胴部９ｂを摺動した後、胴部の係止溝３７に係止する。
【００２６】
更に、ケース部３ａの嵌合部２１にカバー部５ａの被嵌合部２９が嵌合する。
このように、ロック状態では、図１に示すように、ケース３とカバー５とのロック状態では、ロックピン９がケース部３ａとカバー部５ａとに跨って位置し、ロックピン係止部材１１の各係止爪４１がロックピン９の係止溝３７に係止し、ケース部３ａの嵌合部２１にカバー部５ａの被嵌合部２９が嵌合する。
【００２７】
尚、工場の出荷後に、店舗などで検査や確認の為に、ケース３とカバー５を開くときには、ケース部３ａ及びカバー部５ｂの薄肉部１６を切断し、残りのケース部３ａの収納孔１７にロックピン係止部材１１、付勢部材１３、ロックピン９を収納し、ケース部３ａの保持溝２３にストッパプレート１５を装着した後、ストッパプレート１５の係止突起４７をカバー部５ａの挿入孔２８に挿入して係止し、ケース３に対してカバー５をＳ方向にスライドさせることにより、ケース３とカバー５とを再度ロックする。
【００２８】
図１及び図５に示すように、本実施の形態によれば、ケース３に対してカバー５を相対的にスライドする仕様において、ケース３に対してカバー５をロックすることができる。換言すれば、ケース３に対してカバー５を相対的にスライド操作するだけで、ケース３とカバー５とを簡単にロックすることができる。
ケース部３ａとカバー５ａとの内部にロック装置７が収納されており、ロック装置７は外部に露出されるものがないので、不正解除操作がし難い。
【００２９】
ロックピン９は金属製としてあり、ロックしたときにケース部３ａとカバー部５ａとの間に保持されると共に金属製のロックピン係止部材１１の係止爪４１がロックピン９の胴部９ｂの係止溝３７に係止して、ロックピン９の押し下げ方向への移動を阻止しているので、仮に、針や線材等の不正解除具を用いてロックピンを押し下げようとしてもロックピン係止部材１１により押し下げることができないので、解除操作ができない。
【００３０】
ロックピン係止部材１１は、ロックピン９の周囲を金属製の係止爪４１で囲んでいるので、この点においても、針や線材等による不正操作によりロックピン９の解除操作がし難い為、防犯性に優れる。
ケース部３ａの収納孔１７にロックピン係止部材１１と、付勢部材１３と、ロックピンを９収納し、ケース部３ａの保持溝２３にストッパプレート１５を係合してカバー部５ａの挿入孔２８にストッパプレート１５の係止突起４７を挿入するだけであるから、ロック装置７の組み付けが容易にできる。
【００３１】
ストッパプレート１５には、ロックピン９の頭部９ａの係止溝３５に係止するロックピン保持部４３とこれよりも孔径の大きいロックピン突出孔部４５とを連続して形成するだけであるから、構成が簡易で製造が容易である。
ロックピン９の頭部９ａが突出する前の状態では、ロックピン９の頭部９ａに形成した係止溝３５にストッパプレート１５のロックピン保持部４３を係止することにより、ロック前の状態ではロックピン９の突出を確実に防止できる。
【００３２】
尚、本発明は、前述した実施形態に限定されることなく、その要旨を逸脱しない範囲で種々変形可能である。
例えば、制御基板収納ボックス１には、ロック装置７を構成可能なケース部３ａ及びカバー部５ａは、２箇所に限らず、３箇所や４箇所設けても良く、その数は制限されない。
ストッパプレート１５において、ロックピン保持部４３は、孔を形成しないで板面でロックピン９の頭部の上面を抑えるものであっても良い。
ロックピン係止部材１１の係止爪４１は、少なくとも対向した位置に２つ以上配置してあれば良い。
【符号の説明】
【００３３】
１    制御基板収納ボックス
３    ケース
５    カバー
７    ロック装置
９    ロックピン
９ａ  頭部
９ｂ  胴部
１１  ロックピン係止部材
１３  付勢部材
１５  ストッパプレート
１７  収納孔
２１  嵌合部
２３  保持溝
２９  被嵌合部
３５  頭部の係止溝
３７  胴部の係止溝
４１  係止爪
４３  ロックピン保持部
４５  ロックピン突出孔部
４７  係止突起
【図１】
2013198638.tif 000003
【図２】
2013198638.tif 000004
【図３】
2013198638.tif 000005
【図４】
2013198638.tif 000006
【図５】
2013198638.tif 000007
【図６】
2013198638.tif 000008